(57)【要約】      （修正有）【課題】石油ストーブに灯油を給油する時、誤ってカートリッジタンクを倒さなくする。【解決手段】油受け用の盆２の容器の周囲に見る方向によってカタカナのレの字に似た、形態のタンク保持具１を複数設け、その中心部にタンクを置き、タンクの重みで、保持具がカートリッジタンクを挟み込み、タンクが横転しないようにしたものである。【選択図】図１
0003136468.tif 000002
【実用新案登録請求の範囲】
【請求項１】
円形の油受け用の盆の器の周囲に弾力性を有する保持棒を複数設け、その保持棒は全部見る方向によってカタカナのレの字形をしているところを特徴とするタンク保持用具
【請求項２】
使用に際し、複数の保持棒をひとつひとつセットする手間を省く為に、油受け用の盆の中にあるリング状の鉄リングを引き上げ、保持棒を一気にセットする事のできるリングをセット機能を持たせた保持棒１の上部に有する磁気を帯びた凸部を、有する請求項１記載のタンク横転防止用具。
【考案の詳細な説明】
【技術分野】
【０００１】  本考案は、石油ストーブの給油タンクの給油時におけるタンクの横転防止に関するものである。
【背景技術】
【０００２】  屋内で使用する石油ストーブは従来の物は石油ストーブの炎の部分と給油部分がまじかにあることで、炎が完全に消えるまで、給油を待たなければならなかった。
考案の開示
【考案が解決しようとする課題】
【０００３】  現在は、火災予防のためと便利さで、カートリッジ式石油ストーブが主流であるが、タンクに給油する時に、往々にしてタンクを倒して、石油の臭いが屋内中にして、掃除の労働的負担が大きかった。
【課題を解決するための手段】
【０００４】  本考案は、前述の欠点を解決するために、安価な用具で解決しようとするものである。添付図面で説明する。図１に示すが如く、弾力性を持った合成樹脂からなる。盆様態をしている油受け用の盆２に設けた。保持棒１の足部１Ａがカートリッジの重みで、四方から挟みつける力を持ち、この保持力は、カートリッジ４の荷重に正比例して増し、カートリッジ４を強く保持する。これにより、カートリッジ４が、給油中に倒れる問題を解決した。
【考案の効果】
【０００５】  油受け用盆２の中心部にカートリッジ４を置くことを教えれば誰にでもできるようになった。
【考案を実施するための最良の形態】
【０００６】  この用具を手早く使用するために、油受け用盆２の底部にある。鉄製のリング３を保持棒１に設けた磁気を帯びた１Ｂまで引き上げ、カートリッジを置く用意をして、カートリッジを置くだけで、後は安心して給油すればよい。この時、リング３は保持棒１のたわみで自然に油受け用盆２の下部に落下して収容される。給油を終了すればカートリッジ４を上方に引き抜けばよい。
【実施例】
【０００７】  再度、実施例は図面によって説明する。保持棒１は本考案の保持棒で、見る方向により、カタカナ文字のレの字に似た形態をしている。足部１Ａは、大小様々なカートリッジ４に適応するために、できうる限り長くする。ここにタンク４を乗せ４の荷重で保持棒１が中心部に傾いてカートリッジ４を保持する。１Ｃは保持棒１の支点である。油受け盆２は、お盆の様な形態で、万が一、給油中に油がこぼれても床面に溢れ出ないようになっている。５は給油口である。３は鉄製のリングで１を一気に装着できるよう、手で凸部の磁石の１Ｂに装着する。磁力で油受け盆２から鉄製リングを全部、装着するまで鉄リング３を保持し、複数ある保持棒１を手早く装着するためのものである。６は給油ホースである。本考案は以上の構成である。
【図面の簡単な説明】
【０００８】
【図１】本考案の使用中の斜視図である。
【図２】本考案の使用直前の斜視図である。
【図３】本考案の保持棒１と油受け盆２の一部側面の断面図である。
【図４】本考案の保持棒１とその足部１Ａの正面図とその一部断面である。
【符号の説明】
１保持棒
２油漏れ防止の盆
３鉄リング
４タンク
５給油口
６ホース
【図１】
0003136468.tif 000003
【図２】
0003136468.tif 000004
【図３】
0003136468.tif 000005
【図４】
0003136468.tif 000006
【手続補正書】
【提出日】平成19年7月2日(2007.7.2)
【手続補正１】
【補正対象書類名】実用新案登録請求の範囲
【補正対象項目名】全文
【補正方法】変更
【補正の内容】
【実用新案登録請求の範囲】
【請求項１】
円形の油受け用の器の周囲に弾力性を有するカートリッジタンクの横転を防止する保持棒を複数設け、その保持棒の下端部は全部見る方向によってカタカナのレの字形をしていることを特徴とするカートリッジタンク保持用具。
【請求項２】
使用に際し、複数の保持棒をひとつひとつセットする手間を省くために、保持棒で囲まれた内側であって、油受け用の盆の中にあるリング状の鉄リングと、該リング状の鉄リングを引き上げたとき、保持棒を一気に開き状態にして、その領域内にカートリッジタンクをセットすることのできる鉄リングを保持棒１の上部に保持することが可能な磁気を帯びた凸部材を、保持棒上部に設けた請求項１記載のカートリッジタンク保持用具。
【手続補正２】
【補正対象書類名】明細書
【補正対象項目名】全文
【補正方法】変更
【補正の内容】
【考案の詳細な説明】
【技術分野】
【０００１】  本考案は、石油ストーブの給油タンクの給油時におけるタンクの横転防止に関するものである。
【背景技術】
【０００２】  屋内で使用する石油ストーブは従来の物は石油ストーブの炎の部分と給油部分がまじかにあることで、炎が完全に消えるまで、給油を待たなければならなかった。
考案の開示
【考案が解決しようとする課題】
【０００３】  現在は、火災予防のためと便利さで、カートリッジタンク式石油ストーブが主流であるが、タンクに給油する時に、往々にしてタンクを倒して、石油の臭いが屋内中にして、掃除の労働的負担が大きかった。
【課題を解決するための手段】
【０００４】  本考案は、円形の油受け用の器の周囲に弾力性を有するカートリッジタンクの横転を防止する保持棒を複数設け、その保持棒の下端部は全部見る方向によってカタカナのレの字形をしていることを特徴とするカートリッジタンク保持用具である。使用に際し、複数の保持棒をひとつひとつセットする手間を省くために、保持棒で囲まれた内側であって、油受け用の盆の中にあるリング状の鉄リングと該リング状の鉄リングを引き上げたとき、保持棒を一気に開き状態にして、その領域内にカートリッジタンクをセットすることのできる鉄リングを保持棒１の上部に保持することが可能な磁気を帯びた凸部材を、保持棒上部に設けた請求項１記載のカートリッジタンク保持用具である。前述の欠点を解決するために、安価な用具で解決しようとするものである。添付図面で説明する。図１に示すが如く、弾力性を持った合成樹脂からなる。盆様態をしている油受け用の盆２に設けた。保持棒１の足部１Ａがカートリッジタンクの重みで、四方から挟みつける力を持ち、この保持力は、カートリッジタンク４の荷重に正比例して増し、カートリッジタンク４を強く保持する。これにより、カートリッジタンク４が、給油中に倒れる問題を解決した。
【考案の効果】
【０００５】  油受け用盆２の中心部にカートリッジタンク４を置くことを教えれば誰にでもできるようになった。
【考案を実施するための最良の形態】
【０００６】  この用具を手早く使用するために、油受け用の盆２の底部にある、鉄製の鉄リング３を保持棒１に設けた磁気を帯びた凸部材１Ｂまで引き上げ、その位置で鉄リングを保持し、カートリッジタンクを置く用意をして、カートリッジタンクを置くだけで、後は安心して給油すればよい。この時、鉄リング３は保持棒１のたわみで自然に油受け用の盆２の下部に落下して収容される。給油を終了すればカートリッジタンク４を上方に引き抜けばよい。
【実施例】
【０００７】  再度、実施例は図面によって説明する。保持棒１はその下部において、見る方向により、カタカナ文字のレの字に似た形態をしている。足部１Ａは、大小様々なカートリッジタンク４に適応するために、できうる限り長くする。ここにカートリッジタンク４を乗せカートリッジタンク４の荷重で保持棒１が中心方向部に傾いてカートリッジタンク４を保持する。１Ｃは保持棒１の支点である。油受け用の盆２は、お盆の様な形態で、万が一、給油中に油がこぼれても床面に溢れ出ないようになっている。５は給油口である。３は鉄製のリングでこの鉄リング３を上方に持ち上げることで保持棒１を一気に開き状態にして、その領域内にカートリッジタンク４を装着できるよう、手で凸部の磁石の１Ｂに鉄リング３を装着する。磁力で油受け用の盆２から鉄製リングを全部、装着するまで鉄リング３を保持し、複数ある保持棒１を手早く装着するためのものである。６は給油ホースである。本考案は以上の構成である。
【図面の簡単な説明】
【０００８】
【図１】本考案の使用中の斜視図である。
【図２】本考案の使用直前の斜視図である。
【図３】本考案の保持棒１と油受け盆２の一部側面の断面図である。
【図４】本考案の保持棒１とその足部１Ａの正面図とその一部断面である。
【符号の説明】
【０００９】１保持棒
２油漏れ防止の盆
３鉄リング
４タンク
５給油口
６ホース